(57)【要約】【課題】内燃機関のデコンプ装置において、消費エネルギをより抑制する。【課題手段】本発明の一態様のデコンプ装置５０は、機関出力軸４に連動して回転する駆動カム１１ａによって揺動されるロッカーアーム５２が機関バルブ９を開弁させる内燃機関１に適用される。この内燃機関を始動させるとき、機関出力軸を回転駆動するように、スタータ４２が駆動される。デコンプ装置５０は、ロッカーアーム５２を動かすべく、該ロッカーアームの支点部材５３に作用するように構成されたカム部材５９であって、該カム部材の回転量に応じてロッカーアームの移動量が変化する、カム部材５９と、該カム部材を備えたデコンプカムシャフト６０を回転させるためのアクチュエータ５７と、内燃機関の始動用に、内燃機関１の冷却水温に応じた量だけカム部材１１ａを回転させるように、アクチュエータを制御する制御部２０とを備える。【選択図】図２
2015224554.tif 000002
【特許請求の範囲】
【請求項１】
機関出力軸に連動して回転する駆動カムによって揺動されるロッカーアームが機関バルブを開弁させるように構成された内燃機関であって、該内燃機関を始動させるとき前記機関出力軸を回転駆動するように始動用モータを駆動する、内燃機関のデコンプ装置であって、
前記ロッカーアームを動かすべく、該ロッカーアームの支点部材に作用するように構成されたカム部材であって、該カム部材の回転量に応じて前記ロッカーアームの移動量が変化する、カム部材と、
該カム部材を備えたデコンプカムシャフトを回転させるためのアクチュエータと、
前記内燃機関の始動用に、前記内燃機関の冷却水温に応じた量だけ前記カム部材を回転させるように、前記アクチュエータを制御する制御部と
を備えた、内燃機関のデコンプ装置。
【発明の詳細な説明】
【技術分野】
【０００１】
本発明は、内燃機関のデコンプ装置に関する。
【背景技術】
【０００２】
少なくとも圧縮行程中に筒内圧を解放するために筒内燃焼室を排気通路に連通させるデコンプ装置（減圧装置）を備えた内燃機関が公知である。かかるデコンプ装置は、内燃機関の停止時や始動時に内燃機関の振動騒音および回転変動を抑制する目的で使用され、また内燃機関の始動時に圧縮負荷ひいては始動用モータの負荷を低減し、バッテリ消費電力等を抑制する目的で使用される。
【０００３】
特許文献１には、内燃機関のデコンプ装置の一例が開示されている。この装置は、排気弁を駆動するロッカーアームに当接する支点部材（ＨＬＡ）と、この支点部材をその軸方向に動かすようにデコンプカムシャフトに設けられたデコンプカムと、デコンプカムシャフトを回転させるためのアクチュエータとを備えている。機関始動時、デコンプカムシャフトを回転させることでデコンプカムが回転し、それにより、支点部材がその軸方向に動かされ、ロッカーアームの揺動中心を押し上げる。その結果、特許文献１の記載によれば、排気弁が開弁することになり、機関始動時に筒内圧縮圧を逃がすデコンプ状態となり、機関始動を容易にすることができる。
【先行技術文献】
【特許文献】
【０００４】
【特許文献１】特開２００７−０２４０３０号公報
【発明の概要】
【発明が解決しようとする課題】
【０００５】
ところで、特許文献１のデコンプ装置では、機関始動時、一律に、デコンプカムシャフトを約１８０°回転させて、支点部材を動かすようにしている。
【０００６】
一方、内燃機関およびそれを搭載した車両においては、消費エネルギをよりいっそう抑制することが求められている。これは、内燃機関のデコンプ装置でも、同様である。
【０００７】
そこで本発明は、上記事情に鑑みて創案され、その目的は、内燃機関のデコンプ装置において、より好適に、消費エネルギをより抑制することにある。
【課題を解決するための手段】
【０００８】
本発明の一態様によれば、
機関出力軸に連動して回転する駆動カムによって揺動されるロッカーアームが機関バルブを開弁させるように構成された内燃機関であって、該内燃機関を始動させるとき機関出力軸を回転駆動するように始動用モータを駆動する、内燃機関のデコンプ装置であって、
ロッカーアームを動かすべく、該ロッカーアームの支点部材に作用するように構成されたカム部材であって、該カム部材の回転量に応じてロッカーアームの移動量が変化する、カム部材と、
該カム部材を備えたデコンプカムシャフトを回転させるためのアクチュエータと、
内燃機関の始動用に、内燃機関の冷却水温に応じた量だけカム部材を回転させるように、アクチュエータを制御する制御部と
を備えた、内燃機関のデコンプ装置
が提供される。
【発明の効果】
【０００９】
本発明の上記一態様によれば、内燃機関の始動用に、内燃機関の冷却水温に応じた量だけカム部材を回転させるようにアクチュエータが制御され、これによりその冷却水温に応じた量だけロッカーアームを動かして、機関バルブを開弁することができる。したがって、内燃機関の冷間始動時には、機関フリクションが比較的大きく、始動用モータの消費エネルギが比較的大きいところ、本発明の一態様によれば内燃機関の始動用に冷却水温に応じた量だけ機関バルブを開弁することができるので、内燃機関の始動に際して、筒内圧上昇を抑制して始動用モータの消費エネルギを抑制しつつ、デコンプ装置のアクチュエータの作動エネルギを抑制することができる。
【図面の簡単な説明】
【００１０】
【図１】本発明の一実施形態に係るデコンプ装置が適用された内燃機関の構成を示す概略図である。
【図２】図１の内燃機関の一部の拡大正面断面図である。
【図３】図１の内燃機関の一部の拡大側面断面図である。
【図４】閉状態の排気弁に関する模式図であり、（ａ）はデコンプ装置停止時の図であり、（ｂ）はデコンプ装置作動時の一例の図である。
【図５】吸排気弁のリフトカーブを表すグラフであり、（ａ）はデコンプ装置停止時の図であり、（ｂ）はデコンプ装置作動時の一例の図である。
【図６】本発明の一実施形態のデコンプ装置の制御フローチャートである。
【図７】内燃機関の冷却水温と、デコンプ装置作動によるリフト量との関係を表したグラフである。
【発明を実施するための形態】
【００１１】
以下、本発明の実施形態を添付図面に基づき説明する。
【００１２】
図１に、本発明の一実施形態のデコンプ装置が適用された内燃機関の構成を概略的に示す。本実施形態に係る内燃機関（エンジン）１は車両に搭載され、多気筒（例えば直列４気筒）の火花点火式内燃機関として構成されている。ただし、エンジンの種類、気筒数、シリンダ配置形式（直列、Ｖ型、水平対向等）、着火方式等は特に限定されず、例えばエンジンは圧縮着火式内燃機関（ディーゼルエンジン）であってもよい。車両の種類、用途等も特に限定されず、例えば車両はエンジン１を唯一の動力源とする通常の車両であってもよいし、エンジン１と電気モータとの２つの動力源を備える所謂ハイブリッド車両であってもよい。車両には、車両およびエンジン１を制御するように構成された制御ユニットとしての電子制御ユニット（以下ＥＣＵと称す）２０が設けられている。
【００１３】
エンジン１のシリンダブロック２に形成されたシリンダ（筒）２ａ内にはピストン３が往復動可能に収容され、ピストン３にはクランクシャフト４が連結されている。エンジン１のシリンダヘッド５には吸気ポート６を開閉する吸気弁７と、排気ポート８を開閉する排気弁９とが気筒ごとに２つずつ配設されている。各吸気弁７および各排気弁９は、それぞれ機関バルブであり、カムシャフト１０、１１を含む動弁機構によって開閉駆動される。カムシャフト１０、１１は動力伝達機構を介してクランクシャフト４に連結されていて、クランクシャフト４に連動して回転する。シリンダヘッド５の頂部には、筒内燃焼室１２内の混合気に点火するための点火プラグ１３が気筒ごとに取り付けられている。なお、吸気弁７および排気弁９の少なくとも一方の開弁特性を変更するための可変バルブ機構（例えば可変バルブタイミング機構）が設けられてもよい。
【００１４】
各気筒の吸気ポート６は、気筒毎の吸気マニフォールドもしくは枝管１４を介して、吸気集合室であるサージタンク１５に接続されている。サージタンク１５の上流側には吸気管１６が接続されており、吸気管１６の上流端にはエアクリーナ（図示せず）が設けられている。そして吸気管１６には、上流側から順に、吸入空気量を検出するためのエアフローメータ１７と、電子制御式のスロットルバルブ１８とが組み込まれている。吸気ポート６、枝管１４、サージタンク１５および吸気管１６は、それぞれ吸気通路の一部を形成する。吸気通路、特に吸気ポート内６に燃料を噴射するためのインジェクタ１９が気筒ごとに配設されている。
【００１５】
各気筒の排気ポート８には図示しない排気マニフォールドおよび排気管が接続され、排気管には三元触媒からなる触媒が設置されている。触媒の上流側および下流側には排気ガスの空燃比を検出するための上流側および下流側空燃比センサが設置されている。ＥＣＵ２０はこれら空燃比センサの出力に基づき、各空燃比をストイキ（理論空燃比）に制御するための空燃比フィードバック制御を実行する。
【００１６】
センサ類に関し、上述のエアフローメータ１７、上流側および下流側空燃比センサに加え、エンジン１のクランク角を検出するためのクランク角センサ３５、アクセル開度を検出するためのアクセル開度センサ３６、エンジン１の冷却水温度を検出するための水温センサ３７がＥＣＵ２０に電気的に接続されている。クランク角センサ３５の出力に基づいて、ＥＣＵ２０は、エンジン回転数を検出する。また、エンジン１を始動または停止させるためのスタートスイッチ３９がＥＣＵ２０に電気的に接続されている。さらに、車両の車速を検出するための車速センサ４０がＥＣＵ２０に電気的に接続されている。ＥＣＵ２０は、これらセンサの出力に基づく検出値に基づいて、点火プラグ１３、スロットルバルブ１８、インジェクタ１９などを制御する。そして点火時期、燃料噴射量、燃料噴射時期、スロットル開度などを制御する。
【００１７】
また、エンジン１には、始動用モータであるスタータ４２が設けられている。スタータ４２は、機関出力軸であるクランクシャフト４を回転駆動するように設けられている。ＥＣＵ２０は、エンジン１を始動するとき、スタータ４２を駆動制御する。スタータ４２は、図１では模式的に表されているが、バッテリ（不図示）から供給される電力を用いてクランクシャフト４を回転させるように構成されかつ配置されている。なお、ここでは、このバッテリには、エンジン１の回転を動力源として利用するオルタネータにより電力が蓄えられるが、タイヤの回転を使いモータで電力を発生させる回生装置を用いて電力がさらに蓄えられてもよい。
【００１８】
このエンジン１は、アイドルストップ（アイドル・リダクション）制御を実行可能に構成されている。アイドルストップ実行条件が成立したとき、エンジン１は停止される。そして、再始動条件が成立したとき、エンジン１は再始動される。ここでは、エンジン１の運転中、車速がゼロであり、アクセルペダルが踏まれていない時間が所定時間を越えているとき、アイドルストップ実行条件が成立したとＥＣＵ２０は判定する。アイドルストップ実行条件には、ブレーキペダルが踏まれていることなどがさらに含まれてもよい。そして、例えば、ブレーキペダルが戻されたとき（ブレーキが解除されたとき）、および／あるいはアクセルペダルが踏まれたとき、再始動条件が成立したとして、エンジン１は再始動される。具体的には、ＥＣＵ２０はスタータを駆動し（作動させ）、エンジン１を再始動させる。なお、本発明における「始動」は、このような「再始動」を含む。
【００１９】
加えて、本実施形態のエンジン１においては、少なくともエンジンの圧縮行程中に筒内圧を解放するため、筒内燃焼室１２を排気通路（排気ポート８）に連通させるデコンプ装置（減圧装置）５０が設けられている。
【００２０】
以下、図２および図３を参照してデコンプ装置５０を説明する。本実施形態のデコンプ装置５０は、エンジン１の排気弁９を所定量リフト（開弁）させることにより、少なくとも圧縮行程中の筒内圧すなわち圧縮圧を解放するよう構成されている。よって本実施形態のデコンプ装置５０は排気弁９を構成要素の一部として流用する。
【００２１】
図示されるように、シリンダヘッド５には、排気弁９用の動弁機構の構成要素として排気カムシャフト１１（カムシャフト）、排気バルブスプリング５１（バルブスプリング）、ロッカーアーム５２および油圧ラッシュアジャスター（以下、ＨＬＡという）５３が設けられる。排気バルブスプリング５１、ロッカーアーム５２およびＨＬＡ５３は排気弁９毎に設けられる。なお吸気弁７用の動弁機構も同様に構成され、対応する部品を便宜上同一の符号を用いて図２に表す。
【００２２】
排気バルブスプリング５１は、排気弁９を閉方向に付勢する。ロッカーアーム５２は、クランクシャフト４と連動して回転する排気カムシャフト１１のカム（駆動カム）１１ａから駆動力を受けて揺動し、排気弁９を選択的に開方向に作動させる。本実施形態では排気カムシャフト１１がロッカーアーム５２に直接接触され、排気カムシャフト１１がロッカーアーム５２を直接駆動する。しかしながら、排気カムシャフト１１とロッカーアーム５２との間にローラーアーム等の中間部材を介設し、排気カムシャフト１１が中間部材を介してロッカーアーム５２を駆動するようにしてもよい。
【００２３】
ＨＬＡ５３は周知のように、ロッカーアーム５２の揺動中心をなす。ＨＬＡ５３は、排気カムシャフト１１（または中間部材）とロッカーアーム５２とのクリアランスを常時なくすように作動する。したがってＨＬＡ５３はロッカーアーム５２に当接する。ＨＬＡ５３は、支点部材に相当する。なお、シリンダヘッド５に形成されたＨＬＡ支持孔６１内にＨＬＡ５３は昇降可能に支持される。
【００２４】
これら排気カムシャフト１１、排気バルブスプリング５１、ロッカーアーム５２およびＨＬＡ５３は、デコンプ装置５０の構成要素をもなす。これらに加え、デコンプ装置５０は、ＨＬＡ５３を排気弁９の開側に選択的にリフト可能なカム部材としてのデコンプカム５９を備えたデコンプカムシャフト６０と、デコンプカムシャフト６０を回転駆動するデコンプアクチュエータ５７とを備える。
【００２５】
デコンプカムシャフト６０は、全気筒に共通の単一の部材であり、カムシャフト挿通孔６２内に回転自在に挿通支持されている。カムシャフト挿通孔６２は、各ＨＬＡ５３の底部に臨むようシリンダヘッド５に形成されている。デコンプカムシャフト６０は、各ＨＬＡ５３の底面部に接触するよう配設されたデコンプカム５９を有し、デコンプカムシャフト６０の回転によりデコンプカム５９が回転されたときにＨＬＡ５３は動かされ得る。デコンプカムシャフト６０は、電動式のデコンプアクチュエータ５７により回転駆動される。
【００２６】
デコンプアクチュエータ５７はＥＣＵ２０に電気的に接続され、ＥＣＵ２０により制御される。ＥＣＵ２０からデコンプアクチュエータ５７に、オン／オフ信号およびデコンプアクチュエータ５７の目標変位量を示す信号が送られ、デコンプアクチュエータ５７からＥＣＵ２０に、デコンプアクチュエータ５７の実際の変位量を示す信号が送られる。
【００２７】
デコンプ装置５０の作動時、デコンプアクチュエータ５７がオンされ、デコンプアクチュエータ５７は目標変位量に等しい量だけ回転変位して、デコンプカムシャフト６０を、例えば図２、３に示す停止位置から１８０°異なる作動位置（図３に仮想線で示す）に回転させる。この回転により、デコンプカム５９は図４（ｂ）の矢印ａ１方向に回転され、図４（ａ）に示す状態から図４（ｂ）に示す状態になり、デコンプカム５９がＨＬＡ５３に作用し、ＨＬＡ５３を直接押し上げ、上方に（ＨＬＡ５３の軸方向に）リフトさせる。これによりロッカーアーム５２が図４（ｂ）の矢印ａ２方向に回転され（動かされ）、具体的にはデコンプカム５９の回転量に応じた所定量回転し、排気弁９を開方向（図４（ｂ）中下方）にリフトさせる。このような作動は各排気弁９に対して一斉に行われる。なお、デコンプカム５９の回転量に応じて、ロッカーアーム５２の移動量は変化し得る。
【００２８】
図５に、デコンプ装置５０の非作動時（停止時）にクランクシャフト４を回転させたときの吸排気弁７、９のリフトカーブ（図５（ａ））と、デコンプ装置５０の作動時にクランクシャフト４を回転させたときの吸排気弁７、９のリフトカーブ（図５（ｂ））とを示す。なお、図５中、排気弁のリフトカーブには符号「ＥＸＶ」を付し、吸気弁のリフトカーブには符号「ＩＮＶ」を付す。また、図５中、リフト量がゼロのときは弁が完全に閉じた状態にあることを示す。図５に示すように、デコンプ装置５０の作動により、各排気弁９は全閉にならず、少なくとも、全開時のリフト量より遙かに少ない微小量だけリフトされる。このように、デコンプ装置５０の作動は、排気カムシャフト１１のベース円拡大と同様の効果をもたらす。
【００２９】
本実施形態のデコンプ装置５０は、ここでは、エンジン始動時のために主に作動させられる。ここで、図６のフローチャートに基づいて、デコンプ装置５０の作動制御について説明する。図６のフローチャートは所定時間間隔で繰り返される。デコンプ装置５０の制御部として、ＥＣＵ２０の一部が機能する。
【００３０】
まず、ステップＳ６０１では、作動フラグがＯＦＦであるか否かが判定される。作動フラグは、デコンプ装置５０が作動されたとき（デコンプカムシャフト６０が作動位置にあるとき）ＯＮにされるフラグであり、デコンプ装置５０が停止されたとき（デコンプカムシャフト６０が停止位置（ノーマル位置）にあるとき）ＯＦＦにされるフラグである。初期状態では作動フラグはＯＦＦになっている。
【００３１】
ステップＳ６０１で作動フラグがＯＦＦであるので肯定判定されると、ステップＳ６０３でデコンプ装置５０の作動条件が成立しているか否かが判定される。例えば、エンジン１を始動させるべくスタートスイッチ３９がＯＮにされたとき、デコンプ装置５０の作動条件が成立したと判定される。あるいは、車両が停止していて、ブレーキペダルが踏まれていて、アクセルペダルが踏まれていない時間が所定時間（例えば数秒）経過したとき、ステップＳ６０３で肯定判定される。上記アイドルストップ実行条件が成立したときデコンプ装置５０の作動条件が成立したと判定されてもよい。デコンプ装置５０の作動条件は種々設定可能である。
【００３２】
そして、デコンプ装置５０の作動条件が成立しているので、ステップＳ６０３で肯定判定されると、ステップＳ６０５でデコンプ装置５０が作動される。これにより、上記のごとく、デコンプアクチュエータ５７が作動され、デコンプカムシャフト６０は、停止位置から作動位置に回転させられる。ステップＳ６０５を経ることで、作動フラグはＯＮにされ、今回のルーチンは終了する。ステップＳ６０３で否定判定されると、今回のルーチンは終了する。
【００３３】
一方、作動フラグがＯＮであるので、ステップＳ６０１で作動フラグがＯＦＦでないとして否定判定されると、ステップＳ６０７で、デコンプ装置５０の停止条件（ノーマル状態復帰条件）が成立しているか否かが判定される。例えば、スタートスイッチ３９がＯＮにされた後、エンジン回転数が所定回転数（例えば４００ｒｐｍ）を越えたとき、あるいは、アクセルペダルが踏まれてエンジン回転数が所定回転数を超えたとき、ステップＳ６０７で肯定判定される。上記再始動条件が成立してエンジン回転数が所定回転数を超えたとき、ステップＳ６０７で肯定判定されてもよい。あるいは、エンジン１を停止させるべくスタートスイッチ３９がＯＦＦにされたとき、または、スタートスイッチ３９がＯＦＦにされてさらにエンジン回転数が所定回転数以下になったとき、ステップＳ６０７で肯定判定されてもよい。デコンプ装置５０の停止条件は種々設定可能である。
【００３４】
そして、デコンプ装置５０の停止条件が成立したので、ステップＳ６０７で肯定判定されると、ステップＳ６０９でデコンプ装置５０が停止される、つまりデコンプ装置５０が排気弁９を強制的に開状態にしないノーマル状態に復帰される。これにより、上記のごとく、デコンプアクチュエータ５７が作動され、デコンプカムシャフト６０は、作動位置から停止位置に回転させられる。ステップＳ６０９を経ることで、作動フラグはＯＦＦにされ、今回のルーチンは終了する。ステップＳ６０７で否定判定されると、今回のルーチンは終了する。
【００３５】
このように、ＥＣＵ２０は、エンジン（再）始動の際に排気弁９を常時開弁させるよう、デコンプアクチュエータ５７を作動させてＨＬＡ５３をリフトさせる。こうして、エンジンのクランキング初期にデコンプ状態であるようにデコンプ装置５０が作動することで、筒内圧縮圧を解放してスタータ４２の負荷を低減し、バッテリ消費電力等を抑制することができる。またこれによりエンジンの振動騒音および回転変動も抑制することができる。さらにエンジン回転が速やかに立ち上がるのでエンジン始動時間を短縮できると共に、スタータ容量を減少してコストダウンを図ることができる。
【００３６】
ところで、エンジン始動時、特に冷間始動時、各種部材間のフリクションにより、エンジン始動に要するスタータ４２での使用電力量は高い傾向にある。したがって、上記のごとくデコンプ装置５０を作動させることは、始動時の消費エネルギを低減するために有効である。しかし、冷間始動時に比べて、始動時のエンジン冷却水温が比較的高いとき、各種部材間のフリクションはそれほど高くない。
【００３７】
一方、デコンプ装置５０のアクチュエータ５７も、バッテリの電力を用いて作動される。それ故、エンジン始動時のために、このアクチュエータ５７の消費電力も考慮して、デコンプ装置５０が作動されるのが望ましい。
【００３８】
そこで、本実施形態では、エンジン始動時、スタータ４２の消費電力を低減するように、かつ、デコンプ装置５０のアクチュエータ５７の消費電力をも状況に応じて低減するように、デコンプ装置５０は作動する。以下に、このデコンプ装置５０の作動を図６および図７に基づいて説明する。なお、図６については既に説明したので、その詳細な説明は省略する。
【００３９】
図７は、エンジン冷却水温と、デコンプ装置５０の作動による排気弁のリフト量（デコンプリフト量）との関係を表したグラフである。デコンプリフト量は、ここでは、デコンプ装置５０の作動により排気弁９が開く量であり、図４（ｂ）に符号「Ｌｖ」で示され、ＨＬＡ５３のその軸方向移動量Ｌｓおよびロッカーアーム５２の移動量（回転量）に対応し、デコンプカム５９の回転量に対応する。図７の関係は、エンジンフリクションを考慮しつつ、エンジン始動時の筒内圧上昇を抑制してスタータの消費電力抑制を図ると共に、アクチュエータ５７の消費電力を抑制するように、実験に基づいて定められている。なお、ＥＣＵ２０は、その記憶部に、図７またはそれに相当するデータを有する。
【００４０】
この図７のグラフでは、エンジン冷却水温とデコンプリフト量とは、エンジン冷却水温が所定値（ここでは２０℃）以下では、エンジン冷却水温が低いほど、デコンプリフト量が高いという関係を有する。これは、エンジンフリクションの大きさに関係する。そして、図７のグラフでは、エンジン冷却水温が所定値を越えると、デコンプリフト量は比較的低い値で一定である（ここでは１ｍｍ）。なお、図７では、−２０℃のエンジン冷却水温が、図４（ｂ）の状態に対応する。しかし、この関係に限定されず、例えばエンジン冷却水温が所定温度（例えば１０℃）以下のときが、図４（ｂ）の状態に対応するようにすることも可能である。
【００４１】
そして、ＥＣＵ２０はこの図７の相関に基づいてデコンプ装置を作動させる。具体的には、上記ステップＳ６０５で、ＥＣＵ２０は、水温センサ３７の出力に基づいてエンジン冷却水温を検出し、これに基づいて図７あるいは図７相当図（データ）を検索する。それにより、目標デコンプリフト量に相当するデコンプカム５９の目標回転量つまりデコンプアクチュエータ５７の目標変位量を、ＥＣＵ２０は求め、デコンプアクチュエータ５７を制御する。このように、エンジン冷却水温に応じた量だけデコンプカム５９を回転させるように、アクチュエータ５７は制御される。
【００４２】
したがって、エンジン冷却水温が低いとき、特に冷間始動時には、エンジンフリクションが大きいので、デコンプリフト量Ｌｖが大きくされ、例えばデコンプカム５９などは、図４（ｂ）の状態であり得る。これにより、筒内圧を抑制し、スタータ４２の駆動電力を低減することができる。一方、エンジン冷却水温が相対的に高いとき（例えば、エンジン冷却水温が２０℃であるときには、例えばエンジン冷却水温が０°℃であるときに比べて）、デコンプリフト量が相対的に小さくされる。これにより、例えば、デコンプカム５９は、図４（ａ）と図４（ｂ）との間の状態、特にデコンプカム５９がＨＬＡ５３を冷却水温に応じた量だけ押し上げた状態にされる。例えば、デコンプカム５９は、デコンプカムシャフト６０の軸を中心に、図４（ａ）の状態から、図４（ｂ）の矢印ａ１の方向に１６０°回転させられる。したがって、デコンプ装置５０の作動により排気弁９を常時開状態にして筒内圧の上昇を抑制することでスタータ４２の消費電力をある程度低減し、これに加えてデコンプ装置のアクチュエータの消費出力が（図４（ａ）から図４（ｂ）へデコンプカム５９を１８０°回転させるときに比べて）低減される。
【００４３】
このように、本実施形態では、スタータ４２の消費電力と、アクチュエータ５７の消費電力との両面から、エンジン始動に関する消費エネルギを低減するように、エンジン冷却水温に基づいてアクチュエータ５７の目標変位量が設定されて、エンジン始動時、少なくともその分だけ排気弁が常時リフトされる。つまり、エンジン始動時のデコンプリフト量（デコンプカムの回転量に対応）は、エンジン冷却水温に基づいて可変設定される。これにより、好適に、省エネルギを図ることができる。
【００４４】
以上、本発明を実施形態に基づいて具体的に説明したが、本発明はこれに限定されない。例えば、上記実施形態のデコンプ装置は排気弁に適用されたが、吸気弁に適用されてもよい。さらに、本発明のデコンプ装置はエンジン始動前や停止前の任意のときに作動されてよく、本発明のデコンプ装置の作動条件や停止条件は、上記実施形態に限定されず、エンジン始動前や停止前の種々の状況、条件に沿って変更されることができる。また、図７のデータは直線状の関係を定めるものであったが、エンジン冷却水温とデコンプリフト量との関係は曲線状であってもよい。
【００４５】
本発明の実施形態には、特許請求の範囲によって規定される本発明の思想に包含されるあらゆる変形例や応用例、均等物が含まれる。したがって本発明は、限定的に解釈されるべきではなく、本発明の思想の範囲内に帰属する他の任意の技術にも適用することが可能である。
【符号の説明】
【００４６】
１  内燃機関（エンジン）
８  排気ポート
９  排気弁
１１  排気カムシャフト
１２  筒内燃焼室
２０  電子制御ユニット（ＥＣＵ）
４２  スタータ
５０  デコンプ装置
５１  バルブスプリング
５２  ロッカーアーム
５３  油圧ラッシュアジャスター（ＨＬＡ）
５７  デコンプアクチュエータ
５９  デコンプカム
６０  デコンプカムシャフト
【図１】
2015224554.tif 000003
【図２】
2015224554.tif 000004
【図３】
2015224554.tif 000005
【図４】
2015224554.tif 000006
【図５】
2015224554.tif 000007
【図６】
2015224554.tif 000008
【図７】
2015224554.tif 000009